(57)【要約】【課題】被変圧流体を効率良く変圧する。【解決手段】ケーシング１にステータ２を固定し、ケーシング１に回転軸４を回転可能に支持し、回転軸４にロータ５を固定し、回転軸４に軸受６、７を介して旋回軸８を偏心して回転可能に支持し、旋回軸８に固定板１８を固定し、固定板１８に旋回軸８の中心線を中心に回転可能に回転板１９を支持し、固定板１８に長穴２０を設け、ボルト２１を長穴２０に貫通させ、かつ回転板１９に設けられた雌ネジに螺合し、ケーシング１と回転板１９との間に３個のピンクランク１０を設け、ケーシング１に固定スクロール１１を固定し、旋回軸８の上部に旋回スクロール１２を取り付ける。【選択図】　　　　図１
2004092562.tif 000002
【特許請求の範囲】
【請求項１】
自転防止手段を有するスクロール流体機械において、上記自転防止手段に位相調整手段を設けたことを特徴とするスクロール流体機械。
【発明の詳細な説明】
【０００１】
【発明の属する技術分野】
本発明は空気圧縮機、真空ポンプ、冷媒ガス圧縮機、酸素吸入機用圧縮機等として用いられるスクロール流体機械に関するものである。
【０００２】
【従来の技術】
従来のスクロール流体機械においては、固定スクロールに渦巻状のラップが設けられ、旋回スクロールのスクロール本体には固定スクロールのラップと同一形状のラップが設けられ、旋回スクロールのラップと固定スクロールのラップとが重なり合っており、複数の変圧室が形成されている。そして、旋回スクロールを偏心旋回駆動すると、旋回スクロールと固定スクロールとの間に形成された変圧室が徐々に縮小する。したがって、空気等の被変圧ガスは変圧室で変圧される。
【０００３】
【発明が解決しようとする課題】
しかし、このようなスクロール流体機械においては、旋回スクロール、固定スクロールの加工精度、組立精度の誤差から、旋回スクロールのラップと固定スクロールのラップとのギャップが不均一になるので、被変圧流体を効率良く変圧することができない。
【０００４】
本発明は上述の課題を解決するためになされたもので、被変圧流体を効率良く変圧することができるスクロール流体機械を提供することを目的とする。
【０００５】
【課題を解決するための手段】
この目的を達成するため、本発明においては、自転防止手段を有するスクロール流体機械において、上記旋回自転防止手段に位相調整手段を設ける。
【０００６】
【発明の実施の形態】
図１は本発明に係るスクロール流体機械を示す概略断面図、図２は図１に示したスクロール流体機械の一部を示す断面図、図３は図２のＡ矢視図である。図に示すように、ケーシング１にステータ２が固定され、ケーシング１に軸受３を介して回転軸４が回転可能に支持され、回転軸４にロータ５が固定され、ステータ２、ロータ５等によりモータが構成されている。また、回転軸４に軸受６、７を介して旋回軸８が回転可能に支持され、回転軸４の中心線と旋回軸８中心線とは偏っている。すなわち、旋回軸８は回転軸４に偏心して回転可能に支持されている。また、旋回軸８に固定板１８が固定され、固定板１８に旋回軸８の中心線を中心に回転可能に回転板１９が支持され、固定板１８に長穴２０が設けられ、ボルト２１が長穴２０を貫通し、かつ回転板１９に設けられた雌ネジに螺合している。また、ケーシング１と回転板１９との間に３個のピンクランク１０が設けられている。このピンクランク１０のクランク本体２２には軸２３、２４が設けられ、軸２３の中心線と軸２４の中心線とは偏心しており、この偏心量は回転軸４の中心線と旋回軸８の中心線との偏心量と等しい。また、ピンクランク１０の軸２３はケーシング１に軸受２５を介して回転可能に支持され、ピンクランク１０の軸２４は回転板１９に軸受２６を介して回転可能に支持されている。そして、固定板１８、回転板１９、ピンクランク１０等により旋回軸８の偏心旋回を許容しかつ旋回軸８の自転を防止する自転防止手段２７が構成されており、また固定板１８、回転板１９、長穴２０、ボルト２１によりピンクランク１０の軸２４の支持点を旋回軸８に対して旋回軸８の中心線を中心とした円の円弧上に移動調整することができる位相調整手段、すなわち自転防止手段２７の旋回軸８側に支持される部分の旋回軸８の中心線を中心とした角度を調整して自転防止手段２７の位相を調整する位相調整手段を構成している。また、ケーシング１に固定スクロール１１が固定され、固定スクロール１１には渦巻状のラップが設けられている。また、旋回軸８の上部に旋回スクロール１２が取り付けられ、旋回スクロール１２のスクロール本体１３には固定スクロール１１のラップと同一形状の上ラップ１４および下ラップ１５が設けられ、旋回スクロール１２の上ラップ１４、下ラップ１５と固定スクロール１１のラップとが重なり合っており、複数の変圧室が形成されている。そして、ケーシング１、モータ、回転軸４、旋回軸８、自転防止手段２７等により偏心旋回駆動装置１６が構成され、また固定スクロール１１、旋回スクロール１２等により偏心旋回駆動装置１６によって駆動される流体機械本体１７が構成されている。
【０００７】
このスクロール流体機械においては、回転軸４、ロータ５が回転し、旋回軸８は回転軸４の中心線を中心として偏心旋回するが、自転防止手段２７が設けられているから、旋回軸８は自転しない。このため、旋回軸８、旋回スクロール１２がケーシング１、固定スクロール１１に対して回転せずに偏心旋回するから、旋回スクロール１２と固定スクロール１１との間に形成された変圧室が徐々に縮小する。したがって、空気等の被変圧ガスは変圧室で変圧される。また、ボルト２１を緩め、固定板１８に対して回転板１９を回転し、その状態でボルト２１を締め付ければ、自転防止手段２７の旋回軸８側に支持される部分の旋回軸８の中心線を中心とした角度を調整して、自転防止手段２７の位相を変更することができる。
【０００８】
このようなスクロール流体機械においては、自転防止手段２７の旋回軸８側に支持される部分の旋回軸８の中心線を中心とした角度を調整して、自転防止手段２７の位相を変更することができるから、旋回スクロール、固定スクロールの加工精度、組立精度の誤差があったとしても、旋回スクロールのラップと固定スクロールのラップとのギャップを均一に調整することができるので、被変圧流体を効率良く変圧することができる。
【０００９】
なお、上述実施の形態においては、自転防止手段としてピンクランク１０を有する自転防止手段２７を用いたが、自転防止手段としてオルダムリングを有する自転防止手段等を用いてもよい。また、上述実施の形態においては、自転防止手段２７の旋回軸８側に支持される部分の旋回軸８の中心線を中心とした角度を調整して自転防止手段２７の位相を調整する位相調整手段を用いたが、自転防止手段のケーシング側に支持される部分の回転軸の中心線を中心とした角度を調整して自転防止手段の位相を調整する位相調整手段たとえばピンクランク１０の軸２３の支持点を回転軸４に対して回転軸４の中心線を中心とした円の円弧上に移動調整することができる位相調整手段を用いてもよい。また、上述実施の形態においては、ケーシング１と旋回軸８との間に自転防止手段２７を設けたが、固定スクロールの偏心旋回駆動装置側と旋回軸との間に自転防止手段を設けてもよい。この場合、旋回軸側に支持される部分の旋回軸の中心線を中心とした角度を調整して自転防止手段の位相を調整する位相調整手段または固定スクロール側に支持される部分の回転軸の中心線を中心とした角度を調整して自転防止手段の位相を調整する位相調整手段を用いればよい。また、上述実施の形態においては、ケーシング１と旋回軸８との間に自転防止手段２７を設けたが、固定スクロールの偏心旋回駆動装置側とは反対側と固定スクロールを貫通した旋回軸との間に自転防止手段を設けてもよい。この場合、旋回軸側に支持される部分の旋回軸の中心線を中心とした角度を調整して自転防止手段の位相を調整する位相調整手段または固定スクロール側に支持される部分の回転軸の中心線を中心とした角度を調整して自転防止手段の位相を調整する位相調整手段を用いればよい。
【００１０】
【発明の効果】
本発明に係るスクロール流体機械においては、旋回自転防止手段に位相調整手段を設けたから、旋回スクロールのラップと固定スクロールのラップとのギャップを均一に調整することができるので、被変圧流体を効率良く変圧することができる。
【図面の簡単な説明】
【図１】本発明に係るスクロール流体機械を示す概略断面図である。
【図２】図１に示したスクロール流体機械の一部を示す断面図である。
【図３】図２のＡ矢視図である。
【符号の説明】
１１…固定スクロール
１２…旋回スクロール
１６…偏心旋回駆動装置
１７…流体機械本体
１８…固定板
１９…回転板
２０…長穴
２１…ボルト
２７…自転防止手段
【図１】
2004092562.tif 000003
【図２】
2004092562.tif 000004
【図３】
2004092562.tif 000005